(57)【要約】【課題】ドア側の磁石と床面に揺動自在に設置された磁性体プレートとを吸着させることによりドアを全開位置に固定する戸当りであって、容易かつ確実にドアを全開位置にロックすることができ、しかもプレートを確実に係合し得る戸当りを提供することを目的とする。【解決手段】本発明の戸当りは、床面に固定された台座と、前記台座に旋回自在に取り付けられたプレートと、ドアの下端部付近に固定された筐体と、該筐体に入れ子式に収容された上下に延びるロッドとからなり、前記プレートが磁性体からなり、前記筐体に設けられた磁石によって前記プレートが持ち上げられたときに前記ロッドの下端に設けられた爪が前記プレートの自由端に設けられた爪と係合され、前記ロッドを上下させる被押圧部が、前記ロッドの上端に一体的に形成され、前記被押圧部が前記筐体と圧縮コイルバネを介して連結されてなることを特徴とする。【選択図】図１
2010037752.tif 000002
【特許請求の範囲】
【請求項１】
床面に固定された台座と、前記台座に旋回自在に取り付けられたプレートと、ドアの下端部付近に固定された筐体と、該筐体に入れ子式に収容された上下に延びるロッドとからなり、
前記プレートが磁性体からなり、前記筐体に設けられた磁石によって前記プレートが持ち上げられたときに前記ロッドの下端に設けられた爪が前記プレートの自由端に設けられた爪と係合され、前記ロッドを上下させる被押圧部が、前記ロッドの上端に一体的に形成され、前記被押圧部が前記筐体と圧縮コイルバネを介して連結されてなることを特徴とする戸当り。
【請求項２】
床面に固定された台座と、前記台座に旋回自在に取り付けられたプレートと、ドアの下端部付近に固定された筐体と、該筐体に入れ子式に収容された上下に延びるロッドとからなり、
前記プレートが磁性体からなり、前記筐体に設けられた磁石によって前記プレートが持ち上げられたときに前記ロッドの下端が前記プレートと係合され、前記ロッドを上下させる被押圧部が、前記ロッドの上端に設けられ、前記被押圧部が前記筐体と圧縮コイルバネを介して連結されてなることを特徴とする戸当り。
【請求項３】
床面に固定された台座と、前記台座に旋回自在に取り付けられたプレートと、ドアの下端部付近に固定された筐体と、該筐体に入れ子式に収容された上下に延びるロッドとからなり、
前記プレートが磁性体からなり、前記筐体に設けられた磁石によって前記プレートが持ち上げられたときに前記ロッドの下端に回転不能に設けられた歯車が前記プレートに設けられた歯車と係合され、前記ロッドを上下させる被押圧部が、前記ロッドの上端に一体的に形成され、前記被押圧部が前記筐体と圧縮コイルバネを介して連結されてなることを特徴とする戸当り。
【請求項４】
床面に固定された台座と、前記台座に旋回自在に取り付けられたプレートと、
ドアの下端部付近に固定された筐体と、
該筐体に入れ子式に収容され、下端部が二股に分岐して、前記筐体から突出して延びる二つの分岐部を備えたフォーク状のロッドと
からなり、
前記プレートが磁性体からなり、前記筐体に設けられた磁石によって前記プレートが持ち上げられたときに前記ロッドの二つの分岐部の先端が前記プレートをまたぎ、かつ前記台座に設けられた凹所に嵌入し、前記ロッドを上下させる被押圧部が、前記ロッドの上端に一体的に形成され、前記被押圧部が前記筐体と圧縮コイルバネを介して連結されてなることを特徴とする戸当り。
【請求項５】
床面に固定された台座と、前記台座に旋回自在に取り付けられたプレートと、ドアの下端部付近に固定された筐体と、該筐体に入れ子式に収容された上下に移動し得るロッドとからなり、
前記プレートが磁性体からなり、前記筐体に設けられた磁石によって前記プレートが持ち上げられたときに前記ロッドの下端に設けられた爪が前記プレートに設けられた凹所と係合され、前記ロッドを上下させる被押圧部が、前記ロッドの上端に一体的に形成され、前記被押圧部が前記筐体と圧縮コイルバネを介して連結されてなることを特徴とする戸当り。
【発明の詳細な説明】
【技術分野】
【０００１】
本発明は戸当りに関する。さらに詳しくは、ドア側の磁石と床面に揺動自在に設置された磁性体からなるプレートとを吸着させることにより、ドアを全開位置に固定することができる戸当りに関する。
【背景技術】
【０００２】
従来より、図１４〜１５に示すように、ドア５０の開閉によりドア５０またはノブ５１が壁またはドア５０周辺の家具やキャビネット５２などに衝突し、これらに損傷が生じるのを防ぐために戸当り５３がドア５０の付近の床５４に設けられている。
【０００３】
かかる戸当り５３としては、床５４に立設される雄ねじ（図示せず）に螺着される基部５５と、該基部５５の上部に固着される緩衝体５６とからなるものがある。
【０００４】
また、ドア５０を開放状態にしておくために、前記基部５５内に差し込まれているＵ字状の止め金具５７を引き抜き、ドア５０の側面に設けられた鉤付き座金５８の鉤部５９に係止するようにしている。
【０００５】
しかしながら、前記戸当り５３では、常時床５４に立設されているため、前記ドア５０が戸当り５３に固定されていない場合、歩行中誤って戸当り５３に蹴つまづいてしまう惧れがある。
【０００６】
また、運搬物、たとえばキャビネット５２を移動させる際に邪魔になり、誤ってキャビネット５２が戸当り５３に衝突すると、キャビネット５２がへこんだり、戸当り５３が変形する惧れがある。さらに、床掃除をする際に邪魔になっていた。
【０００７】
さらに、従来の戸当り５３は、常時床５４に立設されているため、床５４の上に異物が突出しているように見え、美観上好ましくない。
【０００８】
一方、床から出没自在の戸当りも種々検討されており、従来より知られている出没自在の戸当りとして、磁石を用いた戸当りなどがある。特許文献１および特許文献２に記載された磁石を用いた戸当りは、たとえば、床面に揺動自在に設置された磁性体プレートを、ドア側の磁石に吸着させることによりドアを全開位置に固定している。
【特許文献１】特許公報第２９９０６０１号
【特許文献２】特開平１０−１１５５１３９号公報
【発明の開示】
【発明が解決しようとする課題】
【０００９】
しかし、ドアの表面積は比較的広いので、ドアに風が当って強い力が加われば、磁石とプレートとの間の吸着力のみでは、ドアを全開位置に保持することができなくなり、ドアが勢いよく閉まってしまうなどの問題がある。
【００１０】
また、ドアを開放位置に仮止めできるように、磁石下面にロッドを突設し、磁性体プレートに該ロッドを係合するための凹部または貫通孔を形成することが考えられるが、この場合、ロッドは磁石に吸引されたプレートの前縁を乗り上げて凹部または貫通孔に係合しなければならず、係合を確実に行なうことが難しいという問題がある。
【００１１】
本発明はかかる問題を解消するためになされたものであり、ドア側の磁石と床面に揺動自在に設置された磁性体プレートとを吸着させることによりドアを全開位置に固定する戸当りであって、容易かつ確実にドアを全開位置にロックすることができ、しかもプレートを確実に係合し得る戸当りを提供することを目的とする。
【課題を解決するための手段】
【００１２】
本発明の戸当りは、床面に固定された台座と、前記台座に旋回自在に取り付けられたプレートと、ドアの下端部付近に固定された筐体と、該筐体に入れ子式に収容された上下に延びるロッドとからなり、前記プレートが磁性体からなり、前記筐体に設けられた磁石によって前記プレートが持ち上げられたときに前記ロッドの下端に設けられた爪が前記プレートの自由端に設けられた爪と係合され、前記ロッドを上下させる被押圧部が、前記ロッドの上端に一体的に形成され、前記被押圧部が前記筐体と圧縮コイルバネを介して連結されてなることを特徴とする。
【００１３】
また、本発明の戸当りは、床面に固定された台座と、前記台座に旋回自在に取り付けられたプレートと、ドアの下端部付近に固定された筐体と、該筐体に入れ子式に収容された上下に延びるロッドとからなり、前記プレートが磁性体からなり、前記筐体に設けられた磁石によって前記プレートが持ち上げられたときに前記ロッドの下端が前記プレートと係合され、前記ロッドを上下させる被押圧部が、前記ロッドの上端に一体的に形成され、前記被押圧部が前記筐体と圧縮コイルバネを介して連結されてなることを特徴とする。
【００１４】
さらに、本発明の戸当りは、床面に固定された台座と、前記台座に旋回自在に取り付けられたプレートと、ドアの下端部付近に固定された筐体と、該筐体に入れ子式に収容された上下に移動し得るロッドとからなり、前記プレートが磁性体からなり、前記筐体に設けられた磁石によって前記プレートが持ち上げられたときに前記ロッドの下端に設けられた爪が前記プレートに設けられた凹所と係合され、前記ロッドを上下させる被押圧部が、前記ロッドの上端に一体的に形成され、前記被押圧部が前記筐体と圧縮コイルバネを介して連結されてなることを特徴とする。
【００１５】
また、本発明の戸当りは、床面に固定された台座と、前記台座に旋回自在に取り付けられたプレートと、ドアの下端部付近に固定された筐体と、該筐体に入れ子式に収容された上下に延びるロッドとからなり、
前記プレートが磁性体からなり、前記筐体に設けられた磁石によって前記プレートが持ち上げられたときに前記ロッドの下端に回転不能に設けられた歯車が前記プレートに設けられた歯車と噛み合され、前記ロッドを上下させる被押圧部が、前記ロッドの上端に一体的に形成され、前記被押圧部が前記筐体と圧縮コイルバネを介して連結されてなることを特徴とする。
【００１６】
さらにまた、本発明の戸当りは、床面に固定された台座と、前記台座に旋回自在に取り付けられたプレートと、
ドアの下端部付近に固定された筐体と、
該筐体に入れ子式に収容され、下端部が二股に分岐して、前記筐体から突出して延びる二つの分岐部を備えたフォーク状のロッドと
からなり、
前記プレートが磁性体からなり、前記筐体に設けられた磁石によって前記プレートが持ち上げられたときに前記ロッドの二つの分岐部の先端が前記プレートをまたぎ、かつ前記台座に設けられた凹所に嵌入し、前記ロッドを上下させる被押圧部が、前記ロッドの上端に一体的に形成され、前記被押圧部が前記筐体と圧縮コイルバネを介して連結されてなることを特徴とする。
【発明の効果】
【００１７】
本発明によれば、磁石の吸引力により床上のプレートを揺動させる戸当りに、さらに、プレートを磁石の下面に着脱自在に係合するロック機構を設けたことにより、ロッドの下端に設けられた爪がプレートの自由端に設けられた爪または凹所と係合しているときに、無理やりドアＤを開／閉動作することにより、当該ロッドに強い力を加えた場合でも、本発明の戸当りを破壊しない限り、ロッドの下端に設けられた爪とプレートの自由端に設けられた爪または凹所との係合が解除されることはない。したがって、ドアＤに風が当っても不意に閉まるなどの問題がなくなるため、強い風が当りやすい高層マンションのドアなども容易かつ確実に全開位置にロックすることができる。
【００１８】
しかも、磁石下面にロッドが出没自在に設けられているため、プレートに確実に係合することができる。
【００１９】
また、戸当りを使用しない場合には、プレートが床面とほぼ面一になるため、歩行やキャビネットなど運搬物の移動を安定に行なうことができる。
【００２０】
しかも、ドアを全開にしていないときには、プレートが床面とほぼ面一になるため、ドア周辺の床面は平坦であり、美観を向上することができる。しかも、床面のフラット感を生かした玄関周りのエクステリア設計が可能になる。
【発明を実施するための最良の形態】
【００２１】
つぎに図面を参照しながら本発明の戸当りを詳細に説明する。図１は本発明の戸当りの一実施の形態を示す斜視説明図、図２は本発明に用いられるプレートの一実施の形態を示す図、図３（ａ）および（ｂ）は本発明の戸当りの一実施の形態を示す図、図４ａ〜図４ｄは本発明に用いられるロッドの他の実施の形態を示す断面図、図５は本発明の図１の磁石を下から見た図、図６は図１のケース内部を上から見た図、図７〜１０は図１の磁石におけるロッドのための昇降機構の主要部の動きを示す工程説明図、図１１は本発明に用いられるプレートの一実施の形態を示す図、図１２および図１３は本発明の戸当りの磁石下面のロッドとプレートとが係合する工程を示す工程断面説明図である。
【００２２】
図１に示される戸当りは、大きく分けて床面に設置された台座部分１と、ドアＤに固着され、ドアの下端部付近に固定された筐体２とから構成されている。ここでドアの下端部付近とは、たとえばドアの下端縁から、約１０〜２０ｃｍくらいまでの範囲内であり、筐体は、床面に設けられたプレートと筐体のロッドが係合し得る高さに設けられる。
【００２３】
台座部分１は、図１、図２および図１１に示されるように、床面にネジなどで固定されたナイロン、ポリアセタールなどのエンジニアリング樹脂や亜鉛合金などからなる台座３に、鉄などの磁性体からなるプレート４が揺動自在に取り付けられている。台座部分１の設置方法については、本発明ではとくに限定するものではなく、図１のように床面に設置してもよいし、または床に形成される埋設穴に埋設してもよい。
【００２４】
台座部分１は、図１１（ａ）〜（ｃ）に示されるように、台座３と、プレート４と、軸押さえ板３ｅとから構成されている。
【００２５】
プレート４には、後述する筐体２下面のロッド９に係合し得る係合部５が形成されている。図３（ｂ）に示されるように、本実施の形態において係合部５は、プレート４の自由端下方に凸状に設けられた爪であるが、係合部５の形状は、図１１、図１２および図１３に示されるような貫通孔とすることもできる。また、係合部５は、係合部５と係合するロッドの形状に合わせて凹部、プレート４に形成された螺子等、公知の係止機構を採用することが可能である。
【００２６】
プレート４は、鉄やスチールなどの磁性体材料により作製され、たとえば図３（ｂ）および図１１に示されるように、１枚の薄い鉄板をプレス加工したり、または２枚以上の金属板を積層してもよい。たとえば、複数の金属板を用いてプレートを作製する場合、最上層の金属板に凹部を形成し、下層の金属板には前記最上層の金属板の凹部下側に生じる突出部分を挿入し得る貫通孔を形成し、これら複数の金属板をかしめることなどによって互いに固着すればよい。
【００２７】
プレート４の係合部５である貫通孔の形状およびプレート４の自由端側端部の下方に形成された爪４ａは、本発明においてとくに限定されるものではなく、ロッド９の形状に対応するように選定すればよい。すなわち、爪４ａの角度等も適宜変更が可能であるし、係合具合を調整するために、爪４ａに丸みを持たせたりすることもできる。
【００２８】
台座３には、プレート４を収容する矩形の開口部３ａが形成されている。プレート４は、台座３の開口部３ａに下方から挿入され、プレート４の後端両側に突設された軸部１６は、下方に開いた一対の軸受凹部３ｂに回転自在に挿入されている。
【００２９】
図１１（ａ）に示されるように、一対の軸受凹部３ｂは、台座３の下面にかしめる、または接着などにより固着された、軸押さえ板３ｅによって閉塞されているので、軸部１６が台座３の軸受凹部３ｂから脱落する心配がない。また、図１１（ｃ）に示されるように、軸押さえ板３ｅの中央部には、突片３ｆが前方に突設されている。突片３ｆは、プレート４の下方への落込みを防止している。
【００３０】
また、図１１、図１２および図１３に示されるように、台座３の下面には、プレート４が磁石７に衝突するときにプレート４の後端に当接し得る当接部３ｃが設けられているため、磁石７に衝突したときにプレート４が受ける衝撃を当接部３ｃで受けることができ、プレート４の軸部１６（図１１（ｂ）参照）などの破損を防止することができる。
【００３１】
また、図１１（ｂ）、図１２および図１３に示されるように、プレート４の下面には、薄いゴム層などからなる緩衝体２０が設けられている。そのため、図１３に示されるプレート４の上方位置から図１２に示されるプレート４の下方位置に移行するときに、プレート４下面の緩衝体２０がプレート４と床面との衝突を緩和するので、大きな金属音の発生を防止することができる。
【００３２】
しかも、プレート４の軸部１６には、プレート４の揺動角度を規制するための傾斜部１６ａが、プレート４の後方（図１１（ｂ）では右方向）へ向かうにつれて上昇する方向に形成されている。そのため、プレート４が所定の揺動角度（たとえば３０度程度）まで上方へ揺動すれば、傾斜部１６ａが台座３の下面に面接触することによって、プレート４の揺動角度を正確に規制することができる。
【００３３】
筐体２は、図１〜３および図４ａ〜４ｄに示されるように、ドアＤの下面にネジなどによって固着されたケース６と、当該ケース６の下面に若干突出するように、後述するピン１７廻りに回動自在に取り付けられた一対の磁石７と、ケース６の上部に上下動自在に挿入された被押圧部８と、被押圧部８と一体的に形成された略四角柱状のロッド９と、ケース６内部に収容され、前記被押圧部８およびロッド９を上方へ付勢する圧縮コイルバネ１０と、ケース６の裏面を覆う裏蓋１１とから構成されている。
【００３４】
なお、本実施の形態では、一対の磁石７を備えた例をあげて説明しているが、本発明はこれに限定されるものではなく、磁力の強い磁石を１個備えたものであってもよく、この場合、筐体２全体をコンパクトにすることが可能である。
【００３５】
ケース６の下面６ｃは、後方に向かうにつれて上昇するように傾斜しており、上方に揺動したプレート４と磁石本体７とがぴったりと面接触できるようになっている。また、ケース６の下面６ｃの奥端には、ドアＤに沿って下方に延びる部分６ｂが形成されており、かかる部分６ｂに対して、磁石７に吸着されたプレート４の先端が衝突するようになっている。ケース６の部分６ｂは、プレート４との衝突の際の衝撃を吸収できるように、合成樹脂で作製したり、表面にゴムなどを貼着するのが好ましい。
【００３６】
部分６ｂの場所は適宜変更することが可能であり、図２に示される実施の形態においては、ロッド９が下方に突出しやすいように、ロッド９が出没する開口のドアＤからの遠位端に設けることもできる。
【００３７】
一対の磁石７は、前述したようにケース６内部においてピン１７廻りに回動自在に設けられているため、磁性体からなるプレート４が上方へ旋回して磁石７に吸着されるときに、プレート４に押された磁石７も若干回動（図３参照）することにより、ドアのガタや戸当りの取付誤差などの誤差を自動的に修正することができ、磁石７はプレート４に常に面接触することが可能である。
【００３８】
なお、本実施の形態では磁石７が回動自在である例が示されているが、本発明はこれに限定されるものではなく、磁石７をケース６に固定してもよい。
【００３９】
本実施の形態において、プレート４を磁石７の下面（すなわち、ケース６の下面６ｃ）にロックするためのロック機構は、ロッド９から構成されている。ロッド９の下端には、プレート４の係合部５に係合しやすいように、爪９ａが形成されている。また、爪９ａがプレート４の表面を滑って係合部５に係合しやすいようにロッド９の下面９ｂは、後方に向かうにつれて下降するように傾斜している。
【００４０】
ロッド９は、被押圧部８内部において下方に出没自在に一体的に取り付けられているため、ロッド９にプレート４の係合部５を係合することが容易になっている。
【００４１】
具体的には、図３に示されるように、ロッド９は、軸９ｅを中心に旋回可能であり、プレート４の自由端下方に設けられた爪４ａと係合し得るロッド９の下端の先端部に形成された爪９ａが形成されている。この場合、ロッド９は、係合を確実にするために、水平方向に付勢するバネ９ｄがロッド９と被押圧部８との間に設けられ、バネ９ｄは、ロッド９を係合方向に付勢している。
【００４２】
また、ロッド９をロッド９の下端が回転不能に設けられた歯車（たとえば、ウォームホイール、ピニオン）とし、そのロッド９と係合し得る歯車（ウォーム、ラック）をプレート４に形成することも可能である。
【００４３】
また、図４ａに示すように、ロッド９の他の態様としては、被押圧部８とロッド９が一体的に形成することも可能である。この場合、図１２および図１３に示されるように、ロッド９と係合するプレート４には、貫通孔を有する係合部５が形成され、その係合部５とロッド９が係合する。
【００４４】
また、図４ｂに示すように、ロッド９と被押圧部８を接着剤、溶接、螺子等の公知の固定手段により固定することも可能である。さらに別の態様として、図４ｃに示すようにロッド９の上下方向に延びるスリット９ｃが形成され、スリット９ｃには、両端がケース６に固定されたピン１８が、図４ｃの紙面垂直方向に向けて挿入されているため、ロッド９は所定のストロークだけ上下に移動することができるようになっている。
【００４５】
図４ｂおよび図４ｃに示すロッド９も図４ａに示す実施の形態と同様に、図１２および図１３に示される係合部５と係合することが可能である。
【００４６】
また、図１および図４ａ〜４ｃに示されるように、本実施の形態では、裏蓋１１を上方に延長するとともに裏蓋１１前面の少なくとも一部を赤色などで着色することにより、表示部１１ａが形成されている。それにより、被押圧部８を下方に押してロッド９を下方に突出させたときに、表示部１１ａが見えることにより、ロッド９が突出していることを視認することができる。
【００４７】
また本実施の形態の変形例として、ロッド９の下端部を二股に分岐させたフォーク状に形成したものも含まれる。この場合、図４ｄに示されているように、ロッド９の二つの分岐部９１、９２がケース６から外に突出して延びているので、磁石７によってプレート４が持ち上げられたときに被押圧部８を下方に押し下げると、ロッド９の二つの分岐部９１、９２の先端がプレート４をまたぎ、かつ台座３に設けられた凹所Ｒに嵌入し、かつケース６の下端に設けられた磁石７がプレート４と当接する。
【００４８】
さらに、本実施の形態の戸当りは、被押圧部８およびロッド９を所定の下方位置に容易にロックしたり、または解除できるように、裏蓋１１の内側に昇降機構１２を備えている。
【００４９】
昇降機構１２は、図７〜図１０に示されるように、前記被押圧部８の後面に回転自在に取り付けられた係止部１３ａを有する係止体１３と、ケース６の後面に設けられた、前記係止体１３に当接し得る当接体１４と、前記ケース６の後面の前記当接体１４よりも上側に設けられた、前記係止体１３の係止部１３ａを係止するための突起１５とから構成されている。
【００５０】
昇降機構１２は、以下のようにして被押圧部８およびロッド９のロックを行なう。まず、足で被押圧部８を押し下げれば、係止体１３がケース６の後面に形成された溝６ｄ内部を下降し、当接体１４が係止体１３に当接して係止体１３を回転させる（図８参照）。
【００５１】
そののち、足を被押圧部８から離せば、被押圧部８は、前記圧縮コイルバネ１０の付勢力によって上昇するが、係止体１３の係止部１３ａが突起１５に係止されたときに所定の下方位置にロックされる（図９参照）。このとき、ロッド９の下端は、ケース６から若干下方に突出する（図１２参照）。
【００５２】
さらに、もう１度、足で被押圧部８を押し下げれば、図１０のように、当接体１４がさらに係止体１３を回転させることにより、被押圧部８のロックを解除することができる。
【００５３】
本実施の形態の戸当りを使用する場合、図１０に示されるように、まず足で筐体２の被押圧部８を踏み、ロッド９を下方に突出させてロックさせ、このロック状態で、ドアＤを全開位置まで開ける。
【００５４】
ドアＤが全開位置までくると、図１１に示されるように、プレート４は上方へ揺動して磁石７の下面に吸着されるとともに、ロッド９が、プレート４の係合部５に係合する。それにより、ドアＤは、全開位置に容易かつ確実にロックされ、ドアＤに風が当っても不意に閉まることがなくなる。
【００５５】
一方、ドアＤのロックを解除したい場合には、再度、足で被押圧部８を踏めば、ロッド９は上方へ移動してロックが解除されるので、ロック解除後は、ドアＤを容易に閉めることができる。
【００５６】
なお、ロック解除の状態でも、ドアＤを全開位置まで開ければ、プレート４が磁石７に吸着されるので、ドアＤは弱い力で全開位置に保持される。したがって、荷物の搬入を行なう場合など、一時的にドアＤを全開位置に保持したいときに便利である。
【図面の簡単な説明】
【００５７】
【図１】本発明の戸当りの一実施の形態を示す斜視説明図である。
【図２】本発明に用いられるプレートの一実施の形態を示す図である。
【図３】（ａ）および（ｂ）は本発明の戸当りの一実施の形態を示す図である。
【図４ａ】本発明に用いられるロッドの他の実施の形態を示す断面図である。
【図４ｂ】発明に用いられるロッドの他の実施の形態を示す断面図である。
【図４ｃ】本発明に用いられるロッドの他の実施の形態を示す断面図である。
【図４ｄ】本発明に用いられるロッドの他の実施の形態を示す断面図である。
【図５】本発明の図１の磁石を下から見た図である。
【図６】図１のケース内部を上から見た図である。
【図７】図１の磁石におけるロッドのための昇降機構の主要部の動きを示す工程説明図である。
【図８】図１の磁石におけるロッドのための昇降機構の主要部の動きを示す工程説明図である。
【図９】図１の磁石におけるロッドのための昇降機構の主要部の動きを示す工程説明図である。
【図１０】図１の磁石におけるロッドのための昇降機構の主要部の動きを示す工程説明図である。
【図１１】本発明に用いられるプレートの一実施の形態を示す図である。
【図１２】本発明の戸当りの磁石下面のロッドとプレートとが係合する工程を示す工程断面説明図である。
【図１３】本発明の戸当りの磁石下面のロッドとプレートとが係合する工程を示す工程断面説明図である。
【図１４】従来のドアの固定状態を示す説明図である。
【図１５】従来の戸当りを示す説明図である。
【符号の説明】
【００５８】
１  台座部分
２  筐体
３  台座
４  プレート
５  係合部
６  ケース
７  磁石
８  被押圧部
９  ロッド
１０  圧縮コイルバネ
１１  裏蓋
１２  昇降機構
１３  係止体
１４  当接体
１５  突起
【図１】
2010037752.tif 000003
【図２】
2010037752.tif 000004
【図３】
2010037752.tif 000005
【図４ａ】
2010037752.tif 000006
【図４ｂ】
2010037752.tif 000007
【図４ｃ】
2010037752.tif 000008
【図４ｄ】
2010037752.tif 000009
【図５】
2010037752.tif 000010
【図６】
2010037752.tif 000011
【図７】
2010037752.tif 000012
【図８】
2010037752.tif 000013
【図９】
2010037752.tif 000014
【図１０】
2010037752.tif 000015
【図１１】
2010037752.tif 000016
【図１２】
2010037752.tif 000017
【図１３】
2010037752.tif 000018
【図１４】
2010037752.tif 000019
【図１５】
2010037752.tif 000020